(57)【要約】【課題】空気の流路を確保しながら前面パネルを不要にして、浴室での吸気用フィルタの交換を簡単に行うことができる浴室乾燥機を提供する。【解決手段】筐体１３の前面に設けられ、通気不可能な前板部２７と、前板部２７と吹出口２１との間に形成され、吸気用フィルタ２８を挿脱可能なフィルタ用開口部３１と、フィルタ用開口部３１に形成され、吸気用フィルタ２８を取り付けた状態で内部に空気を流入可能な空気取入れ口３６とを設けたので、筐体１３内の下部に空気を流入させることができ、熱交換器１０の下部においても十分な熱交換が行われる。また、空気取入れ口３６がフィルタ用開口部３１内に形成されているので、筐体１３の構造が簡単になり、また、低い位置での着脱作業が可能になる。また、筐体１３の開口した貫通孔が少なくなるので、筐体１３の強度も増加する。【選択図】          図１
2004361027.tif 000002
【特許請求の範囲】
【請求項１】
浴室の壁の上部に設けられ、内部に熱交換器と送風ファンとを収納した筐体の上部および下部に吸気用開口部および吹出口がそれぞれ形成され、前記吸気用開口部の内側に、厚み方向に屈曲可能な取付枠を有する吸気用フィルタが配置された浴室乾燥機において、
前記筐体の前面に設けられ、通気不可能な前板部と、
前記前板部の裏側に設けられ、前記吸気用フィルタを前記前板部と前記熱交換器との間を通過させて前記吸気用開口部の裏側まで案内するガイド部材と、
前記前板部と前記吹出口との間に形成され、前記吸気用フィルタを挿脱可能なフィルタ用開口部と、
前記フィルタ用開口部に形成され、前記吸気用フィルタを取り付けた状態で内部に空気を流入可能な空気取入れ口とを備えていることを特徴とする浴室乾燥機。
【請求項２】
前記吸気用フィルタの下端部には、前記フィルタ用開口部に掛合および掛合解除可能な把持部が設けられていることを特徴とする請求項１に記載の浴室乾燥機。
【請求項３】
前記吸気用フィルタの外側面には、前記前板部の裏面に当接する複数の突起部が設けられていることを特徴とする請求項１または２に記載の浴室乾燥機。
【請求項４】
前記フィルタ用開口部は下方に開口するように形成され、前記吸気用フィルタの下端は、前記フィルタ用開口部の吹出口側に寄せて配置されていることを特徴とする請求項１から３のいずれかの項に記載の浴室乾燥機。
【発明の詳細な説明】
【０００１】
【発明の属する技術分野】
本発明は、浴室の内壁に設けられて浴室内の暖房、乾燥等を行う浴室乾燥機に関する。
【０００２】
【従来の技術】
従来、屋外に設置した給湯装置等を熱源とした浴室乾燥機は、温水を熱媒として浴室内を暖房したり衣類を乾燥させたりすることに利用されている。
【０００３】
浴室乾燥機は、横長直方体状の筐体の内部に熱交換器と送風ファンとを収納し、下部に吹出口を有している。
【０００４】
このようなタイプの浴室乾燥機は、送風ファンとしてクロスフローファンを用いて、このクロスフローファンの外側の上部および前部に熱交換器を配置している。この熱交換器を覆う筐体には多数のスリットが形成されており、室内の空気は、このスリットを通過して熱交換器により加熱され、クロスフローファンによって下部の吹出口から室内に吹き出される。また、スリットの内側にフィルタを配置して空気中の埃等の異物を除去している。このフィルタは、前面パネルを取り外して清掃したり交換したりする。
【０００５】
筐体のスリットにはごみが詰まりやすく、定期的なメンテナンスを行わないとスリットにごみが滞留するため、近年では、筐体の前面のスリットをなくして、平板状に形成したものが多く採用されている。
【０００６】
しかし、前面のスリットをなくすと、クロスフローファンの前側に配置した熱交換器を通過する空気が少なくなり、熱交換効率が落ちてしまう。清掃の手間を省きながら熱交換効率を上げるために種々の工夫がされている。
【０００７】
例えば、筐体の前面パネルに開口部を形成し、この開口部に開閉可能な蓋部を設けた空気調和機が開発されている（例えば、特許文献１参照。）。吸気用フィルタは蓋部の裏側に設けられ、前面パネルを外して交換するように形成されている。
【０００８】
【特許文献１】
特開平８−２９６８６７号公報  （段落番号００１７、第１図）
【０００９】
【発明が解決しようとする課題】
しかしながら、特許文献１に記載された空気調和機は、蓋部を開閉させるための機構が必要となり、筐体の内部構造が複雑になる。また、吸気用フィルタを清掃したり、交換したりするために前面パネルを取り外す必要があるが、浴室乾燥機は、浴室内の高い位置に設けられているので、前面パネルを取り外すときには、作業台の上で作業を行う必要がある。浴室内の床面は滑りやすいため、作業台上での作業は不安定になり、危険であるとともに非常に時間がかかる。
【００１０】
また、前面パネルを外して吸気用フィルタを清掃したり、交換したりする必要があるので、前面パネルを筐体本体に取り付けるときに完全に取り付けられていない状態になることがあり、また、前面パネルの外周縁部と筐体との間に隙間が形成されると、ここから空気が流入して、ごみが詰まることがある。
そこで本発明が解決しようとする課題は、空気の流路を確保しながら前面パネルを不要にして、浴室での吸気用フィルタの交換を簡単に行うことができる浴室乾燥機を提供することにある。
【００１１】
【課題を解決するための手段】
前記課題を解決するため、本発明の浴室乾燥機は、浴室の壁の上部に設けられ、内部に熱交換器と送風ファンとを収納した筐体の上部および下部に吸気用開口部および吹出口がそれぞれ形成され、前記吸気用開口部の内側に、厚み方向に屈曲可能な取付枠を有する吸気用フィルタが配置された浴室乾燥機において、前記筐体の前面に設けられ、通気不可能な前板部と、前記前板部の裏側に設けられ、前記吸気用フィルタを前記前板部と前記熱交換器との間を通過させて前記吸気用開口部の裏側まで案内するガイド部材と、前記前板部と前記吹出口との間に形成され、前記吸気用フィルタを挿脱可能なフィルタ用開口部と、前記フィルタ用開口部に形成され、前記吸気用フィルタを取り付けた状態で内部に空気を流入可能な空気取入れ口とを備えていることを特徴とする。
【００１２】
吸気用フィルタは、筐体の前面および上面の裏側に、ガイド部材に沿って屈曲した状態で配置されている。また、吸気用フィルタの下端部は、フィルタ用開口部に固定されている。
【００１３】
空気取入れ口は、吸気用フィルタの上流側面に空気を案内するように形成されていればよい。空気取入れ口が「フィルタ用開口部に形成され」とは、空気取入れ口がフィルタ開口部の内側に形成されていることをいい、例えば、吸気用フィルタの端部に開口部を形成しておき、これをフィルタ開口部に取り付けたときの前記開口部を空気取入れ口とすることができ、また、吸気用フィルタの下端部と前板部の端部との間に隙間をあけて配置し、このときの隙間を空気取入れ口とすることができる。この隙間の距離は、取付作業用の小さい隙間を除くもので、例えば、２ｍｍ以上、好ましくは５ｍｍ以上、より好ましくは１０ｍｍ以上に形成したものをいう。このような寸法に形成することにより、空気取入れ口から空気を流入させることができる。
【００１４】
吸気用フィルタを取り付けるときは、吸気用フィルタの上端部をフィルタ用開口部に挿入し、上方に押し上げると、吸気用フィルタがガイド部材に沿って上方に移動し、上端部が吸気用開口部の内側に配置され、下端部がフィルタ用開口部内に配置される。
【００１５】
送風ファンを運転すると、筐体の上部の吸気用開口部および筐体の下部に設けられた空気取入れ口から筐体内に空気が吸引され、吸気用フィルタによって埃等の異物が除去され、熱交換器内を通過して加熱される。そして、送風ファン内を通過して、吹出口から送風が行われる。前板部と吹出口との間に空気取入れ口が設けられているので、筐体内の下部に空気を流入させることができ、熱交換器の下部においても十分な熱交換が行われる。
【００１６】
また、空気取入れ口がフィルタ用開口部内に形成されているので、筐体の構造が簡単になり、また、低い位置での着脱作業が可能になる。また、フィルタ用開口部と空気取入れ口とを別に形成したり、前面パネルを開閉可能に形成すると、筐体の強度が低下して破損することがあるが、空気取入れ口がフィルタ用開口部内に形成されているので、前面パネルを一体的に形成することができ、また、筐体の開口した貫通孔が少なくなるので、筐体の強度も増加する。
【００１７】
吸気用フィルタを取り外すときは、吸気用フィルタの下端部を吸気用開口部から下方に引張ると、吸気用フィルタがガイド部材に沿って下側に移動する。この下端部をさらに下方に引張り、吸気用フィルタの上端部をフィルタ用開口部から抜き取る。このとき、空気取入れ口付近に付着した埃等の異物は、吸気用フィルタとともに除去することができる。
【００１８】
前記吸気用フィルタの下端部に、前記フィルタ用開口部に掛合および掛合解除可能な把持部を設けると、吸気用フィルタの着脱時に片手または両手で把持部を確実に保持することができる。
【００１９】
前記吸気用フィルタの外側面に、前記前板部の裏面に当接する複数の突起部を設けると、挿入時および抜取り時の摺動抵抗を減らすことができ、また、吸気用フィルタと前板部の裏面との間に隙間が形成されるので、フィルタ用開口部および空気取入れ口から流入した空気を前板部の裏面に沿って広げてから吸気用フィルタを通過させることができる。突起部には、正面から見て点状に形成したものの他、線状に形成したものも含むものとする。
【００２０】
前記フィルタ用開口部を下方に開口するように形成し、前記吸気用フィルタの下端を、前記フィルタ用開口部の吹出口側に寄せて配置すると、吸気用フィルタの下端より前板部側の開口部分が空気取入れ口となるので、空気取入れ口を広く形成することができる。
【００２１】
【発明の実施の形態】
以下、本発明の実施の形態について説明する。
図１は本発明の一実施の形態の浴室乾燥機の側断面図、図２は同浴室乾燥機の正面図、図３は同浴室乾燥機の底面図である。図１〜図３に示すように、本発明の一実施の形態の浴室乾燥機１は、浴室（図示せず）の壁の上部に設けられ、内部に円筒状の送風ファン１４と、送風ファン１４の前方および上方に配置された断面円弧状の熱交換器１０とを収納した直方体状の筐体１３を備え、筐体１３の上部に吸気用開口部の一例である多数のスリット２４を、下部に吹出口２１をそれぞれ形成し、多数のスリット２４の内側に、厚み方向に屈曲可能な取付枠３３を有する吸気用フィルタ２８を配置している。
【００２２】
筐体１３は、横長直方体状の硬質樹脂から形成されている。送風ファン１４は、クロスフローファン等の外形円筒状に形成されたもので、軸方向が水平になるように配置されている。熱交換器１０は、前部１５、上前部１６、上後部１７の３ブロックに分割して配置され、それぞれ多数の平板矩形状のフィン１８、１９、２０を横方向に平行に配置している。
【００２３】
筐体１３の前面には、通気不可能な前板部２７が略鉛直に設けられている。前板部２７は、筐体１３の本体部と一体成形され、または本体部に工具なしでは着脱できないように一体的に設けられている。
【００２４】
前板部２７の下端部は後側に屈曲して形成されている。前板部２７と吹出口２１との間であって、詳しくは前板部２７の下端部に隣接する位置には、吸気用フィルタ２８を挿脱可能なフィルタ用開口部３１が下方に開口して形成されている。
【００２５】
前板部２７の裏側には、前板部２７と多数のスリット２４が形成された上板部３２との間に少しの隙間をあけて、ガイド部材２６が設けられている。ガイド部材２６は、吸気用フィルタ２８の両側端部に当接して、着脱時には、前板部２７と熱交換器１０との間を通過させて案内できる位置に配置されている。
【００２６】
吹出口２１は、フィルタ用開口部３１の斜め後方に配置されている。吹出口２１の内部には、ルーバ２２，２３が設けられ、吹き出される空気の風向きを調整することができる。
【００２７】
吸気用フィルタ２８は、矩形に形成された取付枠３３を有しており、取付枠３３の下端部の２カ所には、フィルタ用開口部３１に掛合および掛合解除可能な把持部３４が設けられている。
【００２８】
取付枠３３の内側の縦方向および横方向には、複数の棒状の補強材が設けられている。横方向の補強材は、前面側に突出して設けられ、前板部の裏面に当接する突起部３５を構成している。
【００２９】
吸気用フィルタ２８の把持部３４は、取付枠３３の前側に突出して設けられている。把持部３４をフィルタ用開口部３１に掛合させると、取付枠３３の下端は、フィルタ用開口部３１の後側、すなわち吹出口２１側に寄せられた状態で配置される。フィルタ用開口部３１の内部であって吸気用フィルタ２８の前側には、吸気用フィルタ２８を取り付けた状態で内部に空気を流入可能な空気取入れ口３６が形成される。
【００３０】
空気取入れ口３６は、筐体１３を下方から見たときに矩形になるように形成され、正面から見たときは、直線状でほとんど見えなくなっている。また、この状態では、空気取入れ口３６の内部には、側断面が三角形状で、空気取入れ口３６より幅広の空気滞留部が吸気用フィルタ２８および前板部２７に囲まれて形成されている。空気滞留部を設けることによって、空気取入れ口３６から流入した空気は、筐体１３の内側で上方に案内されてから、吸気用フィルタ２８を通過するので、熱交換器１０の広い範囲を通過させることができ、熱交換効率が向上する。
【００３１】
次に、浴室乾燥機の使用状態について説明する。
吸気用フィルタ２８は、浴室乾燥機１を運転する前に取り付けておく。
吸気用フィルタ２８の先部をフィルタ用開口部３１から挿入すると、吸気用フィルタ２８の両端部がガイド部材２６と前板部２７の裏側の隙間に保持されるので、そのまま上方に押し込むと、吸気用フィルタ２８の先部は、前板部２７の後側を通過して後方に屈曲し、筐体１３の上部に設けられたスリット２４の下側に配置する。そして、把持部３４を、フィルタ用開口部３１の前後方向の端部に掛止して固定する。
【００３２】
送風ファン１４を運転すると、筐体１３の上部のスリット２４と、下部の空気取入れ口３６から空気が吸引され、筐体１３内に流入する。
【００３３】
筐体１３内に上部のスリット２４から流入した空気は、吸気用フィルタ２８の上部を通過して埃等の異物を除去され、熱交換器１０を通過して加熱される。このとき、熱交換器１０の上前部１６および上後部１７の全体を通過するが、前部１５は、その上端付近しか通過しない。
【００３４】
筐体１３内に下部の空気取入れ口３６から流入した空気は、吸気用フィルタ２８の下部を通過して熱交換器１０の前部１５を通過する。空気取入れ口３６が吸気用フィルタ２８を取り付けた場合でも開口しているので、空気が流れにくい送風ファン１４の前側に配置された熱交換器１０の前部１５を有効に活用し、熱交換効率を向上させることができる。
【００３５】
熱交換器１０を通過して加熱された空気は、送風ファン１４によって下方に送られ、吹出口２１から室内に吹き出される。
【００３６】
吸気用フィルタ２８が汚れた場合は、把持部３４を掴んで、吸気用フィルタ２８を下方に抜き取る。空気取入れ口３６が、吸気用フィルタ２８の挿脱を行うフィルタ用開口部３１の内部に形成されているので、空気取入れ口３６に埃等の異物が滞留している場合には、吸気用フィルタ２８とともに下方に排出することができる。また、把持部３４が浴室乾燥機の下部に設けられているので、高い作業台上で挿脱作業を行う必要がなく、メンテナンスを迅速に行うことができる。
【００３７】
【発明の効果】
本発明によれば次の効果を奏する。
（１）本発明の浴室乾燥機は、吸気用フィルタを挿脱可能なフィルタ用開口部と、フィルタ用開口部に形成され、吸気用フィルタを取り付けた状態で内部に空気を流入可能な空気取入れ口とを備えているので、熱交換器の下部においても十分な熱交換を行うことができ、また、低い位置での着脱作業が可能になるので、空気の流路を確保しながら前面パネルを不要にして、浴室での吸気用フィルタの交換を簡単に行うことができる。また、筐体の強度の低下による破損を防止して、製品の信頼性を向上させることができる。
（２）吸気用フィルタの下端部に、前記フィルタ用開口部に掛合および掛合解除可能な把持部を設けると、吸気用フィルタの位置ずれを防止するとともに着脱時に片手または両手で把持部を確実に保持することができ、浴室での吸気用フィルタの交換を簡単に行うことができる。
（３）吸気用フィルタの外側面に、前板部の裏面に当接する複数の突起部を設けると、挿入時および抜取り時の摺動抵抗を減らすことができるので、小さな力で着脱を行うことができ、浴室での吸気用フィルタの交換を簡単に行うことができる。また、吸気用フィルタと前板部の裏面との間に隙間が形成されるので、フィルタ用開口部および空気取入れ口から流入した空気を前板部の裏面に沿って広げてから吸気用フィルタを通過させることができ、熱交換器の広い範囲に空気を通過させることができるので、熱交換効率を向上させることができる。
（４）フィルタ用開口部を下方に開口するように形成し、前記吸気用フィルタの下端を、前記フィルタ用開口部の吹出口側に寄せて配置すると、吸気用フィルタの下端より前板部側の開口部分が空気取入れ口となるので、空気取入れ口を広く形成して下方からの空気の流入量を増加させ、外観性を向上させながら熱交換効率を向上させることができる。
【図面の簡単な説明】
【図１】本発明の一実施の形態の浴室乾燥機の側断面図である。
【図２】同浴室乾燥機の正面図である。
【図３】同浴室乾燥機の底面図である。
【符号の説明】
１  浴室乾燥機
１０  熱交換器
１３  筐体
１４  送風ファン
１５  前部
１６  上前部
１７  上後部
１８〜２０  フィン
２１  吹出口
２２，２３  ルーバ
２４  スリット（吸気用開口部）
２６  ガイド部材
２７  前板部
２８  吸気用フィルタ
３１  フィルタ用開口部
３２  上板部
３３  取付枠
３４  把持部
３５  突起部
３６  空気取入れ口
【図１】
2004361027.tif 000003
【図２】
2004361027.tif 000004
【図３】
2004361027.tif 000005